(57)【要約】      （修正有）【課題】壁面に対して鏡を確実に押し付けて固定可能とするとともに、小型のデザインを可能として意匠的に優れた鏡固定金具を得る。【解決手段】壁面に鏡を固定する鏡固定金具であって、前記鏡の縁面を支持する平板状の鏡縁面支持部１０と、該鏡縁面支持部１０の一方の側端に略直角に延設され両端が鏡の正面側に折曲されてそのバネ作用によって鏡の正面端部を支持する押え部２１を形成した鏡面支持片２０と、該鏡縁支持部１０の他方の側端中央に略直角に延設され前記壁面に固定するためのネジ孔３１が穿設された片状ネジ固定部３０と、該片状ネジ固定部３０の両側の鏡縁支持面１０に対して直角より僅かに大きな角をなしてそれぞれ延設され、先端を反壁面方向に折曲させた折曲部４１が前記片状ネジ固定部３０より壁面側に位置する一対のウイング片４０を有することで、押え部２１及びウイング片４０にバネ作用を発揮させる。【選択図】図１
2008061782.tif 000002
【特許請求の範囲】
【請求項１】
壁面に鏡を固定するためプレス加工により一体的に形成される鏡固定金具であって、
前記鏡の縁面を支持する平板状の鏡縁面支持部と、
該鏡縁面支持部の一方の側端に略直角に延設され両端がバネ作用によって前記鏡の正面端部を支持する鏡面支持片と、
該鏡縁支持部の他方の側端中央に略直角に延設され前記壁面に固定するためのネジ孔が穿設された片状ネジ固定部と、
該片状ネジ固定部の両側の鏡縁支持面に対して直角より僅かに大きな角をなしてそれぞれ延設され、先端を反壁面方向に折曲させた折曲位置が前記片状ネジ固定部より壁面側に位置する一対のウイング片と、
を具備することを特徴とする鏡固定金具。
【請求項２】
請求項１の鏡固定金具と、該鏡固定金具を覆うカバーとから成り、
前記カバーは、鏡固定金具の鏡縁面支持部に対応する上面と、該上面に対して略直角に延設され壁面とウイング片との間にスライドして配置可能なスライド片と、前記上面に対して略直角に延長され鏡の幅と同等の長さを有して鏡固定金具の前面部を被覆する正面片とを有し、
前記鏡固定金具を覆うようにカバーをスライド配置させることにより、鏡固定金具に対してカバーを嵌合させて両者を固定可能とすることを特徴とした鏡固定構造。
【発明の詳細な説明】
【技術分野】
【０００１】
本発明は、洗面台や浴室内の壁面に鏡を固定するための鏡固定金具、及び、これを利用した鏡固定構造に関し、特に壁面に対して鏡を確実に密着させて固定でき、且つ、意匠的にも優れた構造の鏡固定金具及び鏡固定構造に関する。
【背景技術】
【０００２】
従来、洗面台や浴室内の壁面に鏡を固定する構造については種々の構成が提案されている。例えば特許文献１には、図６に示すように、鏡６０を壁面７０に固定するに際して、鏡６０の下部を鏡受け金具６１で固定し、下カバー６２にて覆う。鏡６０の上部を鏡押さえ金具６３にて固定し、上カバー６４にて覆う。下カバー６２の下面部に排水孔６５を設け、鏡６０の下端面と下カバー６２の間に空間部６６を形成する構造が開示されている。
この構造によれば、鏡の取り付け強度が確保でき安心して使用でき、また、カバーを配置したことで外観の見栄が向上するとともに、鏡裏面の腐食の発生を防止できる効果を有している。
【発明の開示】
【発明が解決しようとする課題】
【０００３】
しかしながら、特許文献１の構成による鏡の固定構造では、弾性力を有する部材（例えばバネ）により鏡６０を押さえつける構造でないため、鏡６０の壁面７０に対する密着性が必ずしも良好でないという問題点、及び、鏡と壁面の間にネジ・金具・カバーが存在するため、鏡と壁面に隙間が生じるという問題点があった。
【０００４】
また、特許文献２では、図７に示すように、壁面７０に対して固定具７１及び固定用カバー７２を一体的に固定し、固定用カバー７２の先端の鏡押さえ片７３のバネ弾性を利用して鏡６０を壁面７０に押しつけて鏡と壁面を密着させて取り付ける構造が提案されている。
【０００５】
しかしながら、特許文献２の構造による鏡の固定構造では、鏡６０の上面にバネ弾性を作用させ、鏡と壁面を密着させて固定することができるものの、一体化する固定具７１及び固定用カバー７２が大型化するという問題点があった。
【特許文献１】特開２００４−４１２８７号公報
【特許文献２】特開２０００−４１８１２号公報
【０００６】
本発明は上記実情に鑑みてなされたもので、壁面に対して鏡を密着かつ確実に押し付けて固定可能とするとともに、小型のデザインを可能として意匠的に優れた鏡固定金具及び鏡固定構造を提供することを目的としている。
【課題を解決するための手段】
【０００７】
上記目的を達成するため請求項１の発明は、壁面４に鏡３を固定するためプレス加工により一体的に形成される鏡固定金具１であって、次の各構成を含むことを特徴としている。
前記鏡３の縁面を支持する平板状の鏡縁面支持部１０。
該鏡縁面支持部１０の一方の側端に略直角に延設され、両端が前記鏡３の正面側に折曲され、そのバネ作用によって前記鏡３の正面端部を支持する押え部２１を形成した鏡面支持片２０。
該鏡縁支持部１０の他方の側端中央に略直角に延設され前記壁面４に固定するためのネジ孔３１が穿設された片状ネジ固定部３０。
該片状ネジ固定部３０の両側の鏡縁支持面１０に対して直角より僅かに大きな角をなしてそれぞれ延設され、先端を反壁面方向に折曲させた折曲位置（折曲部４１）が前記片状ネジ固定部３０より壁面側に位置する一対のウイング片４０。
【０００８】
請求項２は、請求項１の鏡固定金具１と、該鏡固定金具１を覆うカバー２とから成る鏡固定構造であって、次の構成を含むことを特徴としている。
前記カバー２は、鏡固定金具１の鏡縁面支持部１０に対応する上面５０と、該上面５０に対して略直角に延設され壁面とウイング片４０との間にスライドして配置可能なスライド片５１と、前記上面５０に対して略直角に延長され鏡の幅と同等の長さを有して鏡固定金具１の前面部を被覆する正面片５２とを有する。
そして、前記鏡固定金具１を覆うようにカバー２をスライド配置させることにより、鏡固定金具１に対してカバー２を嵌合させて両者を固定可能とする。
【発明の効果】
【０００９】
本発明の鏡固定金具によれば、片状ネジ固定部３０を壁面４に密着させることで、鏡面支持片２０の両端部に鏡面支持片２０より内側（鏡３の正面側）に折り曲げられて配置された押え部２１が、鏡面支持片２０に対するバネ作用により鏡３を上面から確実に押さえつけ、壁面４への密着を確実にするとともに鏡３の横ずれを防止する。
【００１０】
また、押え部２１によるバネ作用は、鏡面支持片２０に対して作用する構造であるので、鏡面を上から押さえつけるつけるためのスペースを不用とし、ネジ固定部３０及びウイング片４０の鏡縁方向のスペースもほぼネジ頭部の大きさレベルに抑えることができるため、鏡固定金具１及びカバー２から成る鏡固定構造全体を小型化することができる。
【発明の実施するための最良の形態】
【００１１】
本発明の実施の形態の一例について、図面を参照しながら説明する。
本発明による鏡固定金具１は、図１に示すように、壁面に鏡を固定するため金属片を素材とするプレス加工により一体的に形成され、鏡縁面支持部１０と、これに対して略直角に延設される鏡面支持片２０と、片状ネジ固定部３０及び一対のウイング片４０を有して構成されている。
【００１２】
鏡縁面支持部１０は、その下面が鏡の上面縁に接触して鏡の縁面を支持する平板状の片で形成されている。
鏡縁面支持部１０は、両側に対して中央部がやや幅広に形成され、幅広部分に延設された平板状片が略直角に折曲されることで、鏡縁面支持部１０の一方の側端に、内側面が鏡の正面上端部を支持する鏡面支持片２０を形成している。
鏡面支持片２０は、その両端部において鏡縁面支持部１０に連続していない部分が設けられ、この部分を内側に若干折り曲げた押え部２１が配置され、バネ作用によって鏡の上面を確実に押えつけて壁面への密着性を高めつつ、鏡の横ずれを防止するように構成されている。
【００１３】
片状ネジ固定部３０は、鏡縁支持部１０の他方の側端中央に略直角に延設され、壁面に固定するためのネジ孔３１が穿設された方形状片により構成されている。
一対のウイング片４０，４０は、片状ネジ固定部３０とは独立し、片状ネジ固定部３０の両側の鏡縁支持面１０に対して直角より僅かに大きな角をなして（図１（ｃ）を参照）それぞれ延設されている。また、ウイング片４０の各先端には、反壁面方向に折曲させた折曲部４１の位置が前記片状ネジ固定部３０より突出した状態（壁面に装着する際には壁面側に位置する状態）に形成されている。
この構成により、カバーを取り付けた時、一対のウイング片４０，４０により壁面の間に差し込まれるカバーのスライド片をバネ作用で固定することができる。
【００１４】
次に、上述の鏡固定金具１を使用して鏡を固定する鏡固定構造を得る場合において、鏡固定金具１を覆うカバー２について、図２を参照しながら説明する。
カバー２は、金属又は樹脂で成形されておりプレス加工や引き抜きにより一体的に形成され、左右方向については鏡固定金具１より十分長い長さ（ほぼ鏡の幅と同等の長さ）を有して形成されている。
カバー２は、鏡固定金具１の鏡縁面支持部１０に対応する長尺状の上面５０と、上面５０の一方の側部に対して略直角に延設されたスライド片５１と、上面５０の他方の側部に対して略直角にスライド片５１より長く延長されて鏡固定金具１の前面部を被覆する正面片５２とを有し、鏡固定金具１を覆う形状に構成されている。正面片５２の下端は長尺方向に沿って内側に折曲された折曲部５３が形成されている。
また、スライド片５１の中央部には、カバー２を鏡固定金具１に嵌合させる際に、片状ネジ固定部３０を回避するための溝部５４が形成されている。
【００１５】
続いて、上述の鏡固定金具１及びカバー２を使用した鏡固定構造について、図３乃至図５を参照しながら説明する。
鏡３の上面（又は下面）及び正面に対して、鏡固定金具１の鏡縁面支持部１０及び鏡面支持片２０をそれぞれ当接させ、壁面（鋼板）４の適宜位置に載置する。その状態で、ネジ３５を片状ネジ固定部３０のネジ孔３１に挿入し、壁面４及びその下の石膏ボード５を貫通して螺進させる。石膏ボード５の裏面側には、ネジ３５の螺進部位に対応させた木片６が装着され、ネジ３５の先端が木片６を貫通することで鏡固定金具１が壁面４に固定される（図３）。
【００１６】
鏡固定金具１が壁面４に固定されるに際して、片状ネジ固定部３０が壁面４に密着されると、鏡面支持片２０の両端部に鏡面支持片２０より内側に若干折り曲げられて配置された押え部２１がバネ作用により鏡３を上面から確実に押さえつけ、壁面への密着を確実にするとともに鏡３の横ずれを防止する。
【００１７】
次に、鏡固定金具１に対してカバー２の装着を行う。カバー２の装着は、鏡固定金具１の上方にカバー２を位置させ、カバー２のスライド片５１を壁面４とウイング片５１との間に位置させる（図４）。ウイング片４０の上端は、壁面４から離れる方向に折曲されて壁面４との間に空間が形成されているので、スライド片５１が挿入し易くなっている。
この状態でスライド片５１を押し下げることで、カバー２のスライド片５１を壁面４とウイング片５１との間に位置させるとともに、鏡固定金具１の前面部を正面片５２で被覆することで、鏡固定金具１に対してカバー２を嵌合させることができる（図５（ｂ））。
すなわち、片状ネジ固定部３０が壁面に密着されている場合、ウイング片４０の折曲部４１が壁面に押されることで、一対のウイング片４０，４０に連動するバネ作用によりカバー２のスライド片５１を押えつけて一体化させる。
この状態においては、スライド片５１はウイング片４０によるバネ力によって壁面４に押えつけられるので、カバー２を鏡固定金具１により確実に固定することができる。
鏡３に対しては、図５に示すように、上縁部及び下縁部にそれぞれ鏡固定金具１が装着されることで鏡３を壁面４に固定する鏡固定構造としている。
【００１８】
上述の鏡固定構造によれば、片状ネジ固定部３０を壁面４に密着させることで、鏡面支持片２０に形成した押え部２１がバネ作用により鏡３を押し付け、鏡３を壁面４に密着させるよう作用する。また、ウイング片４０及び折曲部４１によってカバー２のスライド片５１をバネ作用で確実に固定できる。
【００１９】
また、鏡面支持片２０に延設された押え部２１によるバネ作用によって鏡面を上から押さえるので、特許文献２に記載の構造のように、鏡面を上から押えつけるつけるためのスペースを不用とし、図５（ｂ）に示した鏡固定構造における幅Ａ及び幅Ｂを短くして鏡固定金具１及びカバー２から成る鏡固定構造全体を小型化することができ、意匠的に優れたものとすることができる。
【図面の簡単な説明】
【００２０】
【図１】本発明の鏡固定金具を示すもので、（ａ）は平面説明図、（ｂ）は正面説明図、（ｃ）は側面説明図である。
【図２】本発明の鏡固定構造で鏡固定金具と同時に使用するカバーを示すもので、（ａ）は平面説明図、（ｂ）は正面説明図、（ｃ）は側面説明図である。
【図３】本発明の鏡固定構造を説明するための断面説明図である。
【図４】本発明の鏡固定構造を説明するための断面説明図である。
【図５】本発明の鏡固定構造を示すもので、（ａ）は正面説明図、（ｂ）は断面説明図である。
【図６】従来の鏡固定構造を説明するための断面説明図である。
【図７】従来の鏡固定構造を説明するための断面説明図である。
【符号の説明】
【００２１】
１  鏡固定金具
２  カバー
３  鏡
４  壁面
１０  鏡縁面支持部
２０  鏡面支持片
２１  押え部
３０  片状ネジ固定部
３１  ネジ孔
３５  ネジ
４０  ウイング片
４１  折曲部
５０  上面
５１  スライド片
５２  正面片
【図１】
2008061782.tif 000003
【図２】
2008061782.tif 000004
【図３】
2008061782.tif 000005
【図４】
2008061782.tif 000006
【図５】
2008061782.tif 000007
【図６】
2008061782.tif 000008
【図７】
2008061782.tif 000009